(57)【要約】【課題】躓きにくくバリアフリー化を図ることができ、さらに、腰を屈めて行う面倒なフックの掛け外しの作業を簡略化できるようにした戸当たりを提供すること。【解決手段】一方側の扉面Ｄ１又は扉内部に配設したマグネット１を備えた戸当たり本体２と、床面Ｆに固定したストッパ片３を床面から出没するように揺動可能に配設した係止具本体４とを備え、開扉時に扉Ｄが設定された位置にきたときに、マグネット１の吸着作用によりストッパ片３を床面より突出させて戸当たり本体２に当接させ、それ以上の開扉を阻止するようにした戸当たりにおいて、昇降することによりストッパ片３に係止する係止片５と、該係止片５を回動により昇降動作させる回転体６と、この回転体６を回動させる操作片７とを戸当たり本体２に配設するとともに、操作片７を他方側の扉面Ｄ２側に延出する。【選択図】  図１
2004332323.tif 000002
【特許請求の範囲】
【請求項１】
一方側の扉面又は扉内部に配設したマグネットを備えた戸当たり本体と、床面に固定したストッパ片を床面から出没するように揺動可能に配設した係止具本体とを備え、開扉時に扉が設定された位置にきたときに、マグネットの吸着作用によりストッパ片を床面より突出させて戸当たり本体側に当接させ、それ以上の開扉を阻止するようにした戸当たりにおいて、昇降することによりストッパ片に係止する係止片と、該係止片を回動により昇降動作させる回転体と、該回転体を回動させる操作片とを戸当たり本体に配設するとともに、該操作片を他方側の扉面側に延出したことを特徴とする戸当たり。
【請求項２】
戸当たり本体に、回転体を一方側の扉面側から操作する第２操作片を設けたことを特徴とする請求項１記載の戸当たり。
【発明の詳細な説明】
【０００１】
【発明の属する技術分野】
本発明は、戸当たりに関し、特に、床面のバリアフリー化を図るため床面からの突出高さを可及的に低くし、かつ、フック掛けなどの面倒な操作をなくして確実に定位置で扉を停止させ、開扉状態を保持することができる戸当たりに関するものである。
【０００２】
【従来の技術】
従来の戸当たりは、扉に当接する側にゴムなどの緩衝体を配設し、かつ、床面に突出するように取り付ける戸当たり本体と、扉側に取り付けた係止具とよりなり、開扉時戸当たり本体に扉を当接するようにし、戸当たり本体に備えたフックを係止具に引っ掛けて係止できるように構成している。
これにより、扉の許容範囲以上に開かないようにするとともに、戸当たり本体に配設したフック或いは止め金具を、扉側の係止片に引っ掛けることにより、定位置で解放状態を保持するようにしている。
【０００３】
【発明が解決しようとする課題】
ところで、上記従来の戸当たりにおいては、床面より上方に、少なくとも扉の下端部側面と接触するよう突出させて戸当たり本体を取り付けているため、床面に突起物が高く突出するものとなり、閉扉時にこれが通行の妨げとなったり、場合によっては、歩行時に躓いたりするという問題があった。
また、開戸状態を保つためには、腰を屈めて扉側に取り付けたフックを戸当たりに引掛け、また、扉を閉じる場合にもこのフックを外す作業を要し、特に高齢者にとってはフックの掛け外し時に腰を屈めての操作が困難になるという問題があった。
【０００４】
本発明は、上記従来の戸当たりの有する問題点に鑑み、躓きにくくバリアフリー化を図ることができ、さらに、腰を屈めて行う面倒なフックの掛け外しの作業を簡略化できるようにした戸当たりを提供することを目的とする。
【０００５】
【課題を解決するための手段】
上記目的を達成するため、本発明の戸当たりは、一方側の扉面又は扉内部に配設したマグネットを備えた戸当たり本体と、床面に固定したストッパ片を床面から出没するように揺動可能に配設した係止具本体とを備え、開扉時に扉が設定された位置にきたときに、マグネットの吸着作用によりストッパ片を床面より突出させて戸当たり本体側に当接させ、それ以上の開扉を阻止するようにした戸当たりにおいて、昇降することによりストッパ片に係止する係止片と、該係止片を回動により昇降動作させる回転体と、該回転体を回動させる操作片とを戸当たり本体に配設するとともに、該操作片を他方側の扉面側に延出したことを特徴とする。
【０００６】
この戸当たりは、一方側の扉面又は扉内部に配設したマグネットを備えた戸当たり本体と、床面に固定したストッパ片を床面から出没するように揺動可能に配設した係止具本体とを備え、開扉時に扉が設定された位置にきたときに、マグネットの吸着作用によりストッパ片を床面より突出させて戸当たり本体側に当接させ、それ以上の開扉を阻止するようにした戸当たりにおいて、昇降することによりストッパ片に係止する係止片と、該係止片を回動により昇降動作させる回転体と、該回転体を回動させる操作片とを戸当たり本体に配設するとともに、該操作片を他方側の扉面側に延出することから、開扉時以外は係止具本体のストッパ片は床面より突出せず、躓き等を未然に防止するとともに、開扉時扉が係止具本体位置にきたときに、マグネットの励磁吸着作用によりストッパ片を床面より突出させて戸当たり本体側に当接させ、それ以上の開扉を阻止することができる。
そして、この戸当たりは、昇降することによりストッパ片に係止する係止片と、該係止片を回動により昇降動作させる回転体と、該回転体を回動させる操作片とを戸当たり本体に配設するとともに、該操作片を他方側の扉面側に延出することから、風等による強い力が作用しても扉が閉じるのを防止し開放状態を維持するとともに、操作片を壁と反対側に延出しておくことにより、手を扉の裏側に入れることなく操作片を表側から容易に操作することができる。
【０００７】
この場合において、戸当たり本体に、回転体を一方側の扉面側から操作する第２操作片を設けることができる。
【０００８】
これにより、扉の両面から操作片を操作することができ、扉の設計の自由度や利便性を高めることができる。
【０００９】
【発明の実施の形態】
以下、本発明の戸当たりの実施の形態を図面に基づいて説明する。
【００１０】
図１〜図３に、本発明の戸当たりの第１実施例を示す。
この戸当たりは、図１に示すように、一方側、例えば、開き側の扉面Ｄ１に配設され、マグネット１を備えた戸当たり本体２と、床面Ｆに固定され、ストッパ片３を床面Ｆから出没するように揺動可能に配設した係止具本体４とを備え、開扉時に戸当たり本体２が係止具本体４の上にきたときに、マグネット１の吸着作用によりストッパ片３を床面Ｆより突出させて戸当たり本体２に当接させ、それ以上の開扉を阻止するように構成されている。
そして、この戸当たりは、図２〜図３に示すように、昇降することによりストッパ片３に係止する係止片５と、該係止片５を回動により昇降動作させる回転体６と、該回転体６を回動させる操作片７とを戸当たり本体２に配設するとともに、該操作片７を、他方側、例えば、閉じ側の扉面Ｄ２側に延出している。
また、この戸当たりは、戸当たり本体２に、回転体を開き側の扉面Ｄ１側から操作する第２操作片８を設けている。
【００１１】
係止具本体４は、図１又は図７に示すように、床面Ｆにフラットに取り付けられるように形成した係止具本体ベース４１と、該係止具本体ベース４１に枢支され、戸当たり本体２のマグネット１の励磁作用により吸着され先端部が突出するように揺動するストッパ片３と、ストッパ片３の上方を除いて係止具本体ベース４１の表面を覆うカバー４２とにより構成されている。
【００１２】
ストッパ片３には、図７に示すように、先端側に係止片５が係合する貫通孔３１が形成されるとともに、基端部３２を軸３３により揺動可能になるように支持されている。
【００１３】
一方、戸当たり本体２は、図４〜図６に示すように、筒状のケーシング２１と、該ケーシング２１内に回転可能に収容される回転体６と、該回転体６の斜溝６１に係合し回転体６の回転により昇降する係止片５と、該係止片５の上部を摺動可能に支持する筒状の支持部２３を備えた蓋体２２と、ケーシング２１内に下部が露出するように配設されたマグネット１と、回転体６を閉じ側の扉面Ｄ２側から回動させる操作片７と、回転体６を開き側の扉面Ｄ１側から操作する第２操作片８とを備えている。
【００１４】
ケーシング２１は、図４に示すように、その底部に、ストッパ片が突出したときに嵌合する嵌合凹部２４と、扉の一部にねじ固定する１対の取付部２５とを形成している。
また、ケーシング２１の上部前面には第２操作片が挿通する窓部２６が、下部後面には操作片が挿通する窓部２７が、底壁には係止片５が貫通する筒穴２８がそれぞれ形成されている。
【００１５】
回転体６は、ケーシング２１内に同軸に配設されるとともに、前部に第２操作片８が、後部に操作片がそれぞれ固定されている。
回転体６の上部には、１対の斜溝６１が対向する位置に形成されており、該斜溝６１には、係止片５の軸５３が摺動可能に挿入されている。
この回転体６は、操作片７又は第２操作片８を周方向に回すことにより回転し、図２〜図３に示すように、斜溝６１に挿入された軸５３を介して係止片５を昇降させる。
【００１６】
係止片５は、図６に示すように、上部５１が四角柱に形成された非磁性体のピンからなり、その昇降により先端部がストッパ片３の貫通孔３１に係脱可能に係合する。
この係止片５の上部５１には、軸直交方向に孔５２が形成されており、該孔５２には、回転体６の斜溝６１に嵌挿される軸５３が挿入される。
【００１７】
操作片７は、図１〜図３に示すように、回転体６を閉じ側の扉面Ｄ２側から回動させるように、コ字状のアーム７１を介して閉じ側の扉面Ｄ２側に延出されている。
また、第２操作片８は、回転体６を開き側の扉面Ｄ１側から回動させるように、回転体６に直接固定されている。
これら操作片７及び第２操作片８は、回転体６の外周面の凹凸６２がケーシング２１の一部と係合することにより、係止片５の昇降位置で固定される。
【００１８】
次に、図１を参照して、この戸当たりの動作について説明する。
扉Ｄを開くときに、係止片５が係止具本体４の上方位置に到達すると、戸当たり本体のマグネット１によりストッパ片３が励磁され、上方へストッパ片３の先端側が突出するように揺動し、戸当たり本体の嵌合凹部２４の端部に当接し、これにより扉Ｄは停止する。
このとき、図１（ｂ）に示すように、ストッパ片３は戸当たり本体２のマグネット１に吸着された状態で保持される。
なお、この状態では、扉の開き方向への移動は停止されるが、この扉の保持力は比較的弱いもので、扉を閉じる方向に操作することにより、マグネット１による吸着力が解除され、扉を閉じることができる。
【００１９】
次に、図２〜図３を参照して、開扉状態を保持する場合について説明する。
この場合は、足先や手指等により、操作片７を左右方向に操作することにより回転体６を回転させ、係止片５を上昇位置から下降させ、ストッパ片３の貫通孔３１に挿入することによりロックを掛ける。
また、反対にこの係止片５のロック状態を解除するには、操作片７を反対方向に操作するようにすれば、係止片５が上方に移動し、ストッパ片３との係合が解除され、扉は自由に閉じるようになる。
【００２０】
図８に、本発明の戸当たりの第２実施例を示す。
この戸当たりは、戸当たり本体２を扉Ｄの内部に配設し、回転体６を回動させる操作片７を、扉Ｄの内部から閉じ側の扉面Ｄ２側に延出するとともに、第１実施例のような、回転体６を開き側の扉面Ｄ１側から操作する第２操作片８を省略している。
なお、その他の構成は第１実施例の戸当たりとほぼ同一であるため、同一部材は同一符号を記すことによりその説明を省略する。
【００２１】
かくして、各実施例の戸当たりは、開き側の扉面Ｄ１又は扉内部に配設したマグネット１を備えた戸当たり本体２と、床面Ｆに固定したストッパ片３を床面から出没するように揺動可能に配設した係止具本体４とを備え、開扉時に扉Ｄが設定された位置にきたときに、マグネット１の吸着作用によりストッパ片３を床面より突出させて戸当たり本体２に当接させ、それ以上の開扉を阻止するようにした戸当たりにおいて、昇降することによりストッパ片３に係止する係止片５と、該係止片５を回動により昇降動作させる回転体６と、該回転体６を回動させる操作片７とを戸当たり本体２に配設するとともに、該操作片７を閉じ側の扉面Ｄ２側に延出することから、開扉時以外は係止具本体４のストッパ片３は床面より突出せず、躓き等を未然に防止するとともに、開扉時に扉Ｄが係止具本体４の位置にきたときに、マグネット１の励磁吸着作用によりストッパ片３を床面より突出させて戸当たり本体２に当接させ、それ以上の開扉を阻止することができる。
そして、この戸当たりは、昇降することによりストッパ片３に係止する係止片５と、該係止片５を回動により昇降動作させる回転体６と、該回転体６を回動させる操作片７とを戸当たり本体２に配設するとともに、該操作片７を閉じ側の扉面Ｄ２側に延出することから、風等による強い力が作用しても扉Ｄが閉じるのを防止し開放状態を維持するとともに、操作片７を壁と反対側に延出しておくことにより、手を扉の裏側に入れることなく操作片７を表側から容易に操作することができる。
また、戸当たり本体２に、回転体６を開き側の扉面Ｄ１側から操作する第２操作片８を設けることにより、扉Ｄの両面から操作片７、８を操作することができ、扉Ｄの設計の自由度や利便性を高めることができる。
【００２２】
以上、本発明の実施例を説明したが、本発明の戸当たりは、この実施例の記載に限定されるものではなく、その趣旨を逸脱しない範囲において適宜に変更することが可能である。
【００２３】
【発明の効果】
本発明の戸当たりによれば、一方側の扉面又は扉内部に配設したマグネットを備えた戸当たり本体と、床面に固定したストッパ片を床面から出没するように揺動可能に配設した係止具本体とを備え、開扉時に扉が設定された位置にきたときに、マグネットの吸着作用によりストッパ片を床面より突出させて戸当たり本体側に当接させ、それ以上の開扉を阻止するようにした戸当たりにおいて、昇降することによりストッパ片に係止する係止片と、該係止片を回動により昇降動作させる回転体と、該回転体を回動させる操作片とを戸当たり本体に配設するとともに、該操作片を他方側の扉面側に延出することから、開扉時以外は係止具本体のストッパ片は床面より突出せず、躓き等を未然に防止するとともに、開扉時扉が係止具本体位置にきたときに、マグネットの励磁吸着作用によりストッパ片を床面より突出させて戸当たり本体側に当接させ、それ以上の開扉を阻止することができる。
そして、この戸当たりは、昇降することによりストッパ片に係止する係止片と、該係止片を回動により昇降動作させる回転体と、該回転体を回動させる操作片とを戸当たり本体に配設するとともに、該操作片を他方側の扉面側に延出することから、風等による強い力が作用しても扉が閉じるのを防止し開放状態を維持するとともに、操作片を壁と反対側に延出しておくことにより、手を扉の裏側に入れることなく操作片を表側から容易に操作することができる。
【００２４】
この場合、戸当たり本体に、回転体を一方側の扉面側から操作する第２操作片を設けることにより、扉の両面から操作片を操作することができ、扉の設計の自由度や利便性を高めることができる。
【図面の簡単な説明】
【図１】本発明の戸当たりの一実施例を示し、（ａ）はストッパ片が突出する前の状態を示す断面図、（ｂ）はストッパ片が突出した状態を示す断面図である。
【図２】戸当たり本体のストッパ片が突出する前の状態を示す断面図である。
【図３】戸当たり本体のストッパ片が突出した状態を示す断面図である。
【図４】ケーシング２１を示し、（ａ）は左側面図、（ｂ）は正面図、（ｃ）は底面図、（ｄ）は平面図である。
【図５】蓋体を示し、（ａ）は右側面図、（ｂ）は正面図、（ｃ）は底面図、（ｄ）は平面図である。
【図６】（ａ）は係止片の正面図、（ｂ）は同底面図、（ｃ）は第２操作片の平面図、（ｄ）は同正面図、（ｅ）は回転体の平面図、（ｄ）は回転体と係止片の正面図である。
【図７】ストッパ片を示し、（ａ）平面図、（ｂ）は正面図、（ｃ）は（ｂ）のＣ部拡大図である。
【図８】本発明の戸当たりの第２実施例を示す断面図である。
【符号の説明】
１    マグネット
２    戸当たり本体
２１  ケーシング
２２  蓋体
２３  支持部
２４  嵌合凹部
２５  取付部
２６  窓部
２７  窓部
２８  筒穴
３    ストッパ片
３１  貫通孔
３２  基端部
３３  軸
４    係止具本体
４１  係止具本体ベース
４２  カバー
５    係止片
５１  上部
５２  孔
５３  軸
６    回転体
６１  斜溝
６２  凹凸
７    操作片
７１  アーム
８    第２操作片
【図１】
2004332323.tif 000003
【図２】
2004332323.tif 000004
【図３】
2004332323.tif 000005
【図４】
2004332323.tif 000006
【図５】
2004332323.tif 000007
【図６】
2004332323.tif 000008
【図７】
2004332323.tif 000009
【図８】
2004332323.tif 000010